(57)【要約】【課題】化粧品売り場やエステにおける肌のカウンセリングや、被験者に適した化粧品の選択やエステ方法の選択に適用可能な、肌の内部構造や肌の色ムラを推定、評価する方法を提供することを課題とする。【解決手段】肌表面の光拡散を測定し、該測定結果に基づいて肌の内部構造を推定し、また、肌の色ムラを評価することで、課題を解決する。【選択図】図１
2015083054.tif 000002
【特許請求の範囲】
【請求項１】
皮膚表面に光を照射し、その光拡散を測定する測定ステップ、及び
前記測定ステップで測定した光拡散が照射スポットに対し予め準備した閾値以上である場合には、皮膚内部の乳頭の数が多いと推定し、光拡散が照射スポットに対し予め準備した閾値より小さい場合には、皮膚内部の乳頭の数が少ないと推定する推定ステップ、を含む、皮膚内部構造推定方法。
【請求項２】
前記照射する光が単色光である、請求項１に記載の皮膚内部構造推定方法。
【請求項３】
前記推定ステップで準備した閾値は、単色光の照射範囲であるスポット面積を１００とした際の光拡散面積が１１０以上１２０以下の数値である、請求項２に記載の皮膚内部構造推定方法。
【請求項４】
前記推定ステップは、単色光の照射範囲であるスポット面積を１００とした際の光拡散面積により予め複数の領域を設定し、該複数の領域に対して光拡散面積の大きい順にスコアが大きくなるようスコアを設定し、スコアの大きいものから順に乳頭の数が多いと決定するステップ、を含む、請求項２に記載の皮膚内部構造推定方法。
【請求項５】
前記光拡散面積による複数の領域は、光拡散面積が１２０以上の領域、１１０以上１２０未満の領域、１１０未満の領域を少なくとも含む、請求項４に記載の皮膚内部構造推定方法。
【請求項６】
皮膚表面に光を照射し、その光拡散を測定する測定ステップ、及び
前記ステップで測定した光拡散が照射スポットに対し予め準備した閾値以上である場合には、肌の色ムラが少ないと評価し、光拡散が照射スポットに対し予め準備した閾値より小さい場合には、肌の色ムラが多いと評価する評価ステップ、を含む、皮膚の色ムラ評価方法。
【請求項７】
前記照射する光が単色光である、請求項６に記載の皮膚の色ムラ評価方法。
【請求項８】
前記評価ステップで準備した閾値は、単色光の照射範囲であるスポット面積を１００とした際の光拡散面積が１１０以上１２０以下の数値である、請求項７に記載の皮膚内部構造推定方法。
【発明の詳細な説明】
【技術分野】
【０００１】
本発明は、皮膚内部の真皮に存在する乳頭構造の推定方法に関する。また、皮膚の色ムラを評価する方法に関する。
【背景技術】
【０００２】
皮膚を構成する表皮と真皮とが接する部分には、表皮側には基底層が、真皮側には乳頭層が存在し、両者の界面として乳頭構造が形成されている。乳頭構造とは、基底層側からは真皮へ表皮突起（乳頭体）が突き出し、乳頭層側からは表皮突起間に食い込むように乳頭突起（真皮突起）が並び凹凸の状態の構造である。乳頭突起には細かな結合線維、毛細血管、知覚神経末端が存在し、真皮・表皮への酸素や栄養の補給を行い、真皮・表皮からの二酸化炭素の回収や情報の受容を行う役割を担っている。
【０００３】
乳頭構造は、年齢や紫外線曝露によってその凹凸の扁平化や消失が起こり、肌のタルミに至りやすいことが知られている。また、真皮は自在に伸縮するが、真皮と接している表皮は、細胞が密に接しているシート状構造であるため伸縮性に乏しく、このような真皮と表皮の伸縮性の違いを緩衝するのが乳頭構造であるといわれている。また、乳頭構造における毛細血管はその凹凸に沿うように配置しているが、表皮直下にあるこの毛細血管は肌の色みに影響を与えることも知られている。そのため、乳頭構造と肌の状態とがどのような関係にあるかが関心を集め、検討されてきている。
【０００４】
例えば、乳頭真皮の厚さや乳頭構造の配置が肌色に影響すること（特許文献１、２）や、口唇において乳頭構造と老化度が相関すること（特許文献３）が知られている。また、乳頭構造に起因する皮膚の伸縮性がキメと相関関係にあることに基づき、キメや肌色などの皮膚表面情報を指標として皮膚内部構造を推定する方法（特許文献４）や、真皮乳頭の形状に基づき毛穴の目立ちを評価する方法（特許文献５）、真皮乳頭層密度を指標として敏感肌を分類する方法（特許文献６）が提案されている。
【先行技術文献】
【特許文献】
【０００５】
【特許文献１】特表２００１−５０４０２０号公報
【特許文献２】特表２００３−５０１６５１号公報
【特許文献３】特開２００２−２９１７２２号公報
【特許文献４】特開２０１１−１０１７３８号公報
【特許文献５】特開２００４−３３７３１７号公報
【特許文献６】特開２００４−９７４３６号公報
【発明の概要】
【発明が解決しようとする課題】
【０００６】
本発明では、乳頭構造の特性に基づいた、新たな皮膚内部構造の推定方法及び皮膚の色ムラ評価方法を提供することを課題とする。
【課題を解決するための手段】
【０００７】
本発明者らは、皮膚の真皮に存在する乳頭構造について研究を進め、すでにいくつかの知見を得て特許出願をしている（例えばＰＣＴ／ＪＰ２０１３／０５９２７１）。
本発明では、新たに皮膚による光拡散と乳頭構造との関係についての知見を得、これらの知見に基づき、発明を完成させた。
【０００８】
本発明の第一の実施態様は、皮膚内部構造の推定方法である。具体的には、
皮膚表面に光を照射し、その光拡散を測定する測定ステップ、及び
前記測定ステップで測定した光拡散が照射スポットに対し予め準備した閾値以上である場合には、皮膚内部の乳頭の数が多いと推定し、光拡散が照射スポットに対し予め準備した閾値より小さい場合には、皮膚内部の乳頭の数が少ないと推定する推定ステップ、を含む、皮膚内部構造推定方法である。
【０００９】
また、本発明の第二の実施態様は、皮膚の色ムラ評価方法である、具体的には、
皮膚表面に光を照射し、その光拡散を測定する測定ステップ、及び
前記ステップで測定した光拡散が照射スポットに対し予め準備した閾値以上である場合には、肌の色ムラが少ないと評価し、光拡散が照射スポットに対し予め準備した閾値より小さい場合には、肌の色ムラが多いと評価する評価ステップ、を含む、皮膚の色ムラ評価方法である。
【発明の効果】
【００１０】
本発明により、新たな皮膚内部構造の推定方法及び皮膚の色ムラ評価方法を提供することが可能となり、カウンセリングなどの際に用いることで、適切な肌のケアや化粧料の選択に貢献できる。
【図面の簡単な説明】
【００１１】
【図１】試験例において行った、乳頭構造に起因する光拡散の増加を示す図である。
【図２】試験例の概要を示す模式図である。
【図３】乳頭構造の数と色ムラとの相関関係を示すグラフである（ｒ＝−０．３５）。
【発明を実施するための形態】
【００１２】
以下、本発明の皮膚内部構造の推定方法、及び皮膚の色ムラ評価方法について説明するが、本発明の技術的範囲は、以下の具体的な実施形態にのみ限定されるものではない。
【００１３】
本発明の第一の実施態様は皮膚内部構造の推定方法である。
本発明において、皮膚内部構造とは、皮膚を構成する表皮と真皮とが接する部分に存在する乳頭構造である。
皮膚内部構造の推定方法は、皮膚表面に光を照射し、その光拡散を測定する測定ステップ、及び前記ステップで測定した光拡散が照射スポットに対し予め準備した閾値以上である場合には、皮膚内部の乳頭の数が多いと推定し、光拡散が照射スポットに対し予め準備した閾値より小さい場合には、皮膚内部の乳頭の数が少ないと推定する推定ステップ、を含む、皮膚内部構造推定方法である。
本発明は、乳頭構造と光拡散の新たな関係を見出したことによるものである。以下に、本発明者らが行った試験例を説明する。
【００１４】
＜試験例１＞
３Ｄプリンターにて、皮膚の乳頭構造を模した凹凸形状鋳型を作製した。次に光の拡散の指標であるＨａｚｅ値を基準に、１０％寒天（Ｗ／Ｖ）およびスキムミルク１％（Ｗ／Ｖ）になるように蒸留水にて調製した溶液を鋳型に流し込み冷却固化し、表皮モデルを作製した。作製した表皮モデルを真皮との接合面である凹凸形状を有する面を上向きに置き、真皮を反射体と考えるため、寒天を１０％（Ｗ／Ｖ）になるように牛乳のみで調製したものを表皮モデルの上に流し込み冷却固化し表皮真皮モデルを作製した。
作製した表皮真皮モデルを表皮が上になるように置き、擬似角層として拡散シート（Ｄ１２３  株式会社ツジデン製）をのせ皮膚モデルとした。皮膚モデルに対して、１５ｃｍ上方からレーザーポインター（赤色レーザーポインター  ＫＯＫＵＹＯ製）にてレーザー光を入射させ、その様子を皮膚モデルから９ｃｍ斜め上方に固定したデジタルカメラにて
撮影した。撮影した画像に対して、画像解析ソフト（ＮＳ２Ｋ−Ｐｒｏ  ナノシステム株式会社）を用いて、赤色領域を抽出後２値化し、画素数を算出することにより、入射したレーザー光の皮膚モデル上での拡散状態を定量化した。
【００１５】
上記試験の結果、乳頭構造の突起が存在しない場合と比較して、乳頭構造の突起が存在する場合には、拡散領域が約２０％増加した。この結果より、乳頭の数が多い場合には光拡散が多く、乳頭の数が少ない場合には光拡散が少ないことが判明した。すなわち、乳頭構造における乳頭突起は、光拡散を生じさせることが理解される。そのため光拡散を測定することで、皮膚内部の乳頭構造の推定が可能となる。
【００１６】
測定ステップにおいて、光拡散を生じさせるための光は、光の広がりが少なく測定精度の向上が望めるというから可視光領域の単色光であることが好ましく、レーザー光がより好ましい。
また、光拡散の測定方法は、光拡散を測定できれば特段限定されず、例えば光が照射された皮膚をデジタルカメラで撮像した画像を用いて２値化処理を行うことで、光拡散を測定することができる。なお、２値化処理は、光拡散を測定しやすくするための処理であり、必須ではない。
【００１７】
推定ステップでは、上記新たな知見に基づき、上記測定ステップで測定した光拡散が照射スポットに対し予め準備した閾値以上である場合には皮膚内部の乳頭の数が多いと推定し、光拡散が照射スポットに対し予め準備した閾値より小さい場合には皮膚内部の乳頭の数が少ないと測定するステップである。
照射スポットとは、照射された光が光拡散する前の、皮膚上に実際に光が照射された部分をいう。なお、照射スポットの大きさを正確に測定するために、照射された部位の画像を取得し、該画像を２値化処理することが好ましい。
【００１８】
推定ステップでは、皮膚内部の乳頭の数が多いと推定するか、少ないと推定するかの閾値を予め準備する。該閾値は、例えば以下の手順で準備することができるが、これに限られない。
ｉ）複数の被験者を準備する。
ｉｉ）複数の被験者の皮膚をｉｎ  ｖｉｖｏ共焦点レーザーにより測定し、被験者の乳頭の数を把握する。
ｉｉｉ）複数の被験者の皮膚表面に、光を照射し、その光拡散を測定する。
ｉｖ）上記ｉｉ）及びｉｉｉ）の結果をプロットし、乳頭の数の平均値に対応する光拡散を、閾値とする。
このような方法を採用する場合、被験者の数は通常５以上であり、２０以内であり、１０以上が好ましい。
【００１９】
上記閾値は、閾値を決めるための被験者の年代・数などにより変動はあるものの、単色光の照射範囲であるスポット面積を１００とした際の光拡散面積が大凡１１０以上、１２０以下の範囲で設定される。１１２以上１１８以下で設定されてもよく、１１４以上１１６以下で設定されてもよく、１１５で設定されてもよい。
閾値は、被験者の年齢に応じて変化してもよく、被験者の居住地域に応じて変化してもよい。なお、閾値は通常整数であるが、小数であってもよい。
【００２０】
また、推定ステップにおいて、単色光の照射範囲であるスポット面積を１００とした際の光拡散面積が１００以上の１５０以下の値において、光拡散面積により予め複数の領域を設定し、該複数の領域に対して光拡散面積の大きい順にスコアが大きくなるようスコアを設定し、スコアの大きいものから順に乳頭の数が多いと決定するステップ、を含むことが好ましい。
例えば、光拡散面積が１００以上１１０未満をスコア１、１１０以上１２０未満をスコア２、１２０以上をスコア３とし、スコア３の光拡散面積１２０以上を乳頭の数が多いとし、１１０以上１２０未満を乳頭の数が普通であるとし、１００以上１１０未満を乳頭の数が少ないと決定することができる。例えば、光拡散面積の測定結果が１１８であった場合には、乳頭の数が普通であると推定することができる。
【００２１】
このように光拡散面積により予め複数の領域（Ｎ領域）を設定し、該複数の領域に対してスコアを設定することで、被験者の肌の内部構造をＮ段階評価で推定することが可能となる。なお、Ｎは通常２以上であり３以上が好ましい。また、通常１０以下であり、５以下であることが好ましい。
【００２２】
本発明の第二の実施態様は皮膚の色ムラ評価方法である。
皮膚の色ムラ評価方法は、皮膚表面に光を照射し、その光拡散を測定する測定ステップ、及び前記ステップで測定した光拡散が照射スポットに対し予め準備した閾値以上である場合には、肌の色ムラが少ないと評価し、光拡散が照射スポットに対し予め準備した閾値より小さい場合には、肌の色ムラが多いと評価する評価ステップ、を含む。
【００２３】
上記説明したように、乳頭の数と光拡散の関係について、本発明者らは新たな知見を得た。一方で、乳頭の数は、色ムラと相関があることを本発明者らは明らかにした。このことについて、以下説明する。
【００２４】
＜試験例２＞
乳頭構造の数をｉｎ ｖｉｖｏ共焦点レーザー顕微鏡などで計測した対象者の計測同一部位に対して、デジタルビデオマイクロスコープで皮膚画像を撮像する。撮像した画像に対して、例えばＨＩＳ表色系などの表色系を用いて撮像画像中の１ドット単位で色の計測を行う。その後、Ｈ、Ｓ、Ｉなどの表色系の指標毎の撮像画像全体におけるバラツキ度合を、標準偏差を指標として計算した。
【００２５】
上記試験の結果、乳頭の数と皮膚の色ムラとの間には、相関関係が存在することが理解できる（ｒ＝−０．３５）。本発明者らは、上記試験例１及び２の結果を総合し、光拡散を測定することで、乳頭の数が推定でき、加えて、乳頭と皮膚の色ムラが相関するという事実から、光拡散を測定することで皮膚の色ムラの評価が可能になることに想到した。
【００２６】
本実施態様の評価ステップにおいて、光拡散を生じさせるための光は、光の広がりが少なく測定精度の向上が望めるためレーザー光が好ましい。また、光拡散の測定方法は、光拡散を測定できれば特段限定されず、例えば対象物をデジタルカメラで撮像した画像を用いて、光拡散を測定することができる。
【００２７】
評価ステップでは、上記新たな総合知見に基づき、上記測定ステップで測定した光拡散が照射スポットに対し予め準備した閾値以上である場合には肌の色ムラが少ないと評価し、光拡散が照射スポットに対し予め準備した閾値より小さい場合には肌の色ムラが多いと評価するステップである。
【００２８】
評価ステップの閾値の準備は、第一の実施態様の推定ステップにおける閾値の準備の方法を参照することができる。
また、照射スポットの説明も同様に、第一の実施態様の推定ステップにおける照射スポットの説明を参照することができる。
【００２９】
評価ステップにおける上記閾値は、閾値を決めるための被験者の年代・数などにより変動はあるものの、単色光の照射範囲であるスポット面積を１００とした際の光拡散面積が
大凡１１０以上、１２０以下の範囲で設定される。１１２以上１１８以下で設定されてもよく、１１４以上１１６以下で設定されてもよく、１１５で設定されてもよい。
閾値は、被験者の年齢に応じて変化してもよく、被験者の居住地域に応じて変化してもよい。なお、閾値は通常整数であるが、小数であってもよい。
【００３０】
また、推定ステップにおいて、単色光の照射範囲であるスポット面積を１００とした際の光拡散面積が１００以上の１５０以下の値において、光拡散面積により予め複数の領域を設定し、該複数の領域に対して光拡散面積の大きい順にスコアが大きくなるようスコアを設定し、スコアの大きいものから順に肌の色ムラが少ないと決定するステップ、を含むことが好ましい。
例えば、光拡散面積が１００以上１１０未満をスコア１、１１０以上１２０未満をスコア２、１２０以上をスコア３とし、スコア３の光拡散面積１２０以上を肌の色ムラが少ないとし、１１０以上１２０未満を肌の色ムラが普通であるとし、１００以上１１０未満を肌の色ムラが大きいと決定することができる。例えば、光拡散面積の測定結果が１１８であった場合には、肌の色ムラが普通であると推定することができる。
【００３１】
このように光拡散面積により予め複数の領域（Ｎ領域）を設定し、該複数の領域に対してスコアを設定することで、被験者の肌の色ムラをＮ段階評価で評価することが可能となる。なお、Ｎは通常２以上であり３以上が好ましい。また、通常１０以下であり、５以下であることが好ましい。
【産業上の利用可能性】
【００３２】
本発明は、化粧品売り場やエステにおける肌のカウンセリングに適用することが可能である。また、化粧品売り場やエステにおいて、被験者に適した化粧品の選択やエステ方法の選択に適用することが可能である。
本発明により、簡易な方法で、通常視認できない肌の内部構造や肌の色ムラを推定、評価することができるため、スキンケアアドバイスにも適用できる。
【図１】
2015083054.tif 000003
【図２】
2015083054.tif 000004
【図３】
2015083054.tif 000005